(57)【要約】【課題】加熱調理機器の運転と連動して運転する換気装置において、加熱調理機器と換気装置の位置をずらして設置した場合でも、適切な風量で換気する換気装置を提供することを目的とする。【解決手段】換気装置本体１に加熱調理機器２と換気装置本体１との位置関係を設定する設置位置設定手段１０を設け、設置位置のずれに応じて温度検知手段９の向きを変化させるという構成にしたことにより、設置状況に関わらず適切な風量で換気する換気装置を得られる。【選択図】図２
2012098004.tif 000002
【特許請求の範囲】
【請求項１】
一つまたは複数の加熱部を持つ加熱調理機器の上方に設置して換気を行う換気装置であり、換気装置本体には、室内の空気を室外に排出する送風手段と、前記加熱調理機器が送信する運転状態を示す信号を受信する受信手段と、前記加熱調理機器の表面の温度を非接触で検知する温度検知手段と、前記加熱調理機器と前記換気装置本体との位置関係を設定する設置位置設定手段と、前記送風手段を運転する風量を決定する制御部とを備え、前記制御部は、前記温度検知手段からの情報をもとに前記温度を算出する温度算出手段と、前記設置位置設定手段によって設定された内容から前記換気装置本体と前記加熱調理機器の位置情報を算出する位置情報算出手段と、前記位置情報算出手段によって算出された位置情報に応じて温度検知手段の方向を変更させる温度検知方向算出手段と、前記温度算出手段と前記加熱調理機器の運転状態を示す信号から換気風量を決定する風量算出手段とを備えたことを特徴とする換気装置。
【請求項２】
前記制御部は、前記加熱調理機器の運転状態を示す信号と前記位置情報算出手段によって算出された位置情報をもとに温度算出手段で算出する温度を補正する温度補正手段と、前記加熱調理機器の運転状態を示す信号と前記位置情報算出手段によって算出された位置情報をもとに風量算出手段で算出する風量を補正する風量補正手段をさらに備えた、請求項１に記載の換気装置。
【請求項３】
前記設置位置設定手段は、前記換気装置本体の前記加熱調理機器からの高さを設定する垂直位置設定手段と前記換気装置本体の水平方向のずれを設定する水平位置設定手段からなり、前記位置情報算出手段は、前記設置位置設定手段によって設定された内容をもとに、前記換気装置本体の前記加熱調理機器に対してあらかじめ設定されている標準設置位置からのずれと、前記加熱部と前記温度検知手段との距離と、前記加熱部と前記送風手段との距離を算出する、請求項１または２に記載の換気装置。
【請求項４】
前記温度検知方向算出手段は、前記位置情報算出手段によって算出された前記標準設置位置からのずれを用いて、前記温度検知手段の方向を設置位置のずれ方向と逆方向に向けることを特徴とする、請求項１または３に記載の換気装置。
【請求項５】
前記温度補正手段は、前記加熱調理機器から受信した運転状態を示す信号をもとに前記加熱部のうち運転中のものを判断し、前記位置情報算出手段によって算出された前記加熱部と前記温度検知手段との距離に応じて前記温度算出手段で算出する温度を補正する、請求項２または３に記載の換気装置。
【請求項６】
前記風量補正手段は、前記加熱調理機器から受信した運転状態を示す信号をもとに前記加熱部のうち運転中のものを判断し、前記位置情報算出手段によって算出された前記加熱部と前記送風手段との距離に応じて前記風量算出手段で算出する風量を補正する、請求項２または３に記載の換気装置。
【請求項７】
前記垂直位置設定手段として、測距センサを用いて換気装置本体の設置された高さを検出する、請求項３に記載の換気装置。
【請求項８】
前記水平位置設定手段として、換気装置本体に取り付けたスイッチを用いた、請求項３に記載の換気装置。
【請求項９】
前記送風手段はＤＣモータを用い、多段階で排気風量を変更可能な、請求項１に記載の換気装置。
【発明の詳細な説明】
【技術分野】
【０００１】
本発明は、加熱調理機器の運転と連動して換気風量を切り替える換気装置に関するものである。
【背景技術】
【０００２】
従来、この種の換気装置は、加熱調理機器の運転状態を示す信号と非接触の温度検知手段によって測定した加熱調理機器の表面温度を用いて換気風量を決定するものが知られている（例えば、特許文献１参照）。
【先行技術文献】
【特許文献】
【０００３】
【特許文献１】特開２００９−１２１７５１号公報
【発明の概要】
【発明が解決しようとする課題】
【０００４】
このような換気装置において、設置する環境によっては加熱調理機器と換気装置の位置をずらして設置しなければならない場合がある。そのような場合、従来の換気装置においては、温度検知手段の検知範囲が変わることによって加熱調理機器の状態が同じであっても検知される温度に違いが生じ、効果的な換気ができない場合があった。
【０００５】
そこで本発明は、上記従来の課題を解決するものであり、加熱調理機器と温度検知手段の位置関係のずれに応じて温度検知手段の方向を変えることにより、温度検知手段の検知範囲を補正し、適切な換気風量を算出することができる換気装置を提供することを目的とする。
【課題を解決するための手段】
【０００６】
そして、この目的を達成するために、本発明は、一つまたは複数の加熱部を持つ加熱調理機器の上方に設置して換気を行う換気装置であり、換気装置本体には、室内の空気を室外に排出する送風手段と、前記加熱調理機器が送信する運転状態を示す信号を受信する受信手段と、前記加熱調理機器の表面の温度を非接触で検知する温度検知手段と、前記加熱調理機器と前記換気装置本体との位置関係を設定する設置位置設定手段と、前記送風手段を運転する風量を決定する制御部とを備え、前記制御部は、前記温度検知手段からの情報をもとに前記温度を算出する温度算出手段と、前記設置位置設定手段によって設定された内容から前記換気装置本体と前記加熱調理機器の位置情報を算出する位置情報算出手段と、前記位置情報算出手段によって算出された位置情報に応じて温度検知手段の方向を変更させる温度検知方向算出手段と、前記温度算出手段と前記加熱調理機器の運転状態を示す信号から換気風量を決定する風量算出手段とを備えたことを特徴とする換気装置としたものであり、これにより所期の目的を達成するものである。
【発明の効果】
【０００７】
本発明によれば、換気装置本体に前記加熱調理機器と前記換気装置本体との位置関係を設定する設置位置設定手段を設け、設置位置のずれに応じて前記温度検知手段の向きを変化させるという構成にしたことにより、加熱調理機器と温度検知手段の位置関係のずれに応じて温度検知手段の方向を変えることにより、温度検知手段の検知範囲を補正し、適切な換気風量を算出することができ、設置状況に関わらず、効果的な換気ができるという効果を得ることができる。
【図面の簡単な説明】
【０００８】
【図１】本発明の実施の形態１の換気装置の構成を示す斜視図
【図２】同実施の形態１の換気装置の構成を示すブロック図
【図３】同実施の形態１の換気装置の温度検知方向算出方法を示す図
【図４】同実施の形態２の換気装置の構成を示すブロック図
【発明を実施するための形態】
【０００９】
本発明の請求項１記載の換気装置は、一つまたは複数の加熱部を持つ加熱調理機器の上方に設置して換気を行う換気装置であり、室内の空気を室外に排出する送風手段と、前記加熱調理機器が送信する運転状態を示す信号を受信する受信手段と、前記加熱調理機器の表面の温度を非接触で検知する温度検知手段と、前記加熱調理機器と前記換気装置の本体との位置関係を設定する設置位置設定手段と、前記送風手段を運転する風量を決定する制御部とを備え、前記制御部は、前記温度検知手段からの情報をもとに前記温度を算出する温度算出手段と、前記設置位置設定手段によって設定された内容から前記換気装置本体と前記加熱調理機器の位置情報を算出する位置情報算出手段と、前記位置情報算出手段によって算出された位置情報に応じて温度検知手段の方向を変更させる温度検知方向算出手段と、前記温度算出手段と前記加熱調理機器の運転状態を示す信号から換気風量を決定する風量算出手段とを備えた構成を有する。これにより、加熱調理機器と温度検知手段の位置関係のずれに応じて温度検知手段の方向を変えることにより、温度検知手段の検知範囲を補正し、適切な換気風量を算出することができるため、設置状況に関わらず、効果的な換気ができるという効果を奏する。
【００１０】
また、請求項２記載の換気装置は、前記制御部は、前記加熱調理機器の運転状態を示す信号と前記位置情報算出手段によって算出された位置情報をもとに温度算出手段で算出する温度を補正する温度補正手段と、前記加熱調理機器の運転状態を示す信号と前記位置情報算出手段によって算出された位置情報をもとに風量算出手段で算出する風量を補正する風量補正手段をさらに備えた構成を有する。これにより、設置位置のずれによって生じる温度検知手段の検知誤差と換気効率の低下を補正することができるため、効果的な換気ができるという効果を奏する。
【００１１】
また、請求項３記載の換気装置は、前記設置位置設定手段は、前記換気装置の本体の前記加熱調理機器からの高さを設定する垂直位置設定手段と前記換気装置本体の水平方向のずれを設定する水平位置設定手段からなり、前記位置情報算出手段は、前記設置位置設定手段によって設定された内容をもとに、前記換気装置本体の前記加熱調理機器に対してあらかじめ設定されている標準設置位置からのずれと、前記加熱部と前記温度検知手段との距離と、前記加熱部と前記送風手段との距離を算出するものである。これにより、水平方向と垂直方向の位置関係から、詳細な位置関係を算出できるため、効果的な換気ができるという効果を奏する。
【００１２】
また、請求項４記載の換気装置は、前記温度検知方向算出手段は、前記位置情報算出手段によって算出された前記標準設置位置からのずれを用いて、前記温度検知手段の方向を設置位置のずれ方向と逆方向に向けるものである。これにより、温度検知方向算出手段の結果に基づいて温度検知手段の検知範囲を補正することができるため、効果的な換気ができるという効果を奏する。
【００１３】
また、請求項５記載の換気装置は、前記温度補正手段は、前記加熱調理機器から受信した運転状態を示す信号をもとに前記加熱部のうち運転中のものを判断し、前記位置情報算出手段によって算出された前記加熱部と前記温度検知手段との距離に応じて前記温度算出手段で算出する温度を補正するものである。これにより、温度検知手段から離れた位置の加熱部が運転されている場合は、温度検知手段で検知された温度が高くなるように温度補正手段によって補正し、誤差を小さくすることができるため、効果的な換気ができるという効果を奏する。
【００１４】
また、請求項６記載の換気装置は、前記風量補正手段は、前記加熱調理機器から受信した運転状態を示す信号をもとに前記加熱部のうち運転中のものを判断し、前記位置情報算出手段によって算出された前記加熱部と前記送風手段との距離に応じて前記風量算出手段で算出する風量を補正するものである。これにより、換気効率の悪い位置の加熱部が運転されている場合は、風量補正手段によって風量を上げて換気効率を補うことができるため、効果的な換気ができるという効果を奏する。
【００１５】
また、請求項７記載の換気装置は、前記垂直位置設定手段として、測距センサを用いて換気装置本体の設置された高さを検出するものである。これにより、測距センサによって自動で正確に設置位置を検出できるため、効果的な換気ができるという効果を奏する。
【００１６】
また、請求項８記載の換気装置は、前記水平位置設定手段として、換気装置本体に取り付けたスイッチを用いたものである。これにより、安価に設置位置を設定できるため、効果的な換気ができるという効果を奏する。
【００１７】
また、請求項９記載の換気装置は、前記送風手段はＤＣモータを用い、多段階で排気風量を変更可能なものである。これにより、風量を細かく変化させられるため、効果的な換気ができるという効果を奏する。
【００１８】
以下、本発明の実施の形態について図面を参照しながら説明する。
【００１９】
（実施の形態１）
図１は、本発明実施の形態１における換気装置の構成を表す斜視図である。図１に示すように、換気装置本体１は、加熱調理機器２の上部に設置され、換気装置本体１内部には、送風手段３が構成されている。送風手段３は、加熱調理機器２を用いてユーザが調理した際に発生する油煙等を吸い上げ、吐出口４から屋外へ排出するものである。
【００２０】
図２は、本発明実施の形態１における換気装置の構成を表すブロック図である。加熱調理機器２は、一つまたは複数の加熱部５を持ち、加熱部５が複数ある場合は個別に運転ＯＮ／ＯＦＦと火力を設定できる。また、加熱部５のうち運転されているものの位置と火力を運転状態として赤外線信号で換気装置本体１へ送信する送信手段６を備えている。換気装置本体１は、加熱調理機器２の信号を受信する受信手段７と、加熱調理機器２のトッププレート８上の温度を検知する温度検知手段９と、加熱調理機器２と換気装置本体１との位置関係を設定する設置位置設定手段１０と、送風手段３を運転する風量を決定する制御部１１と、制御部１１で決定した風量に基づいて送風する送風手段３を備えている。設置位置設定手段１０は、換気装置本体１の加熱調理機器２からの高さを設定する垂直位置設定手段１２と換気装置本体１の水平方向のずれを設定する水平位置設定手段１３からなる。制御部１１は、温度検知手段９からの情報をもとにトッププレート８上の温度を算出する温度算出手段１４と、設置位置設定手段１０によって設定された内容から換気装置本体１と加熱調理機器２の位置情報を算出する位置情報算出手段１５と、位置情報算出手段１５によって算出された位置情報に応じて温度検知手段９の方向を変更させる温度検知方向算出手段１６と、温度算出手段１４と加熱調理機器２の運転状態を示す信号から換気風量を決定する風量算出手段１７とを備えている。
【００２１】
このような換気装置において、設置する環境によっては加熱調理機器２と換気装置本体１の位置をずらして設置しなければならない場合がある。
【００２２】
例えば、加熱調理機器２は幅が６０ｃｍのものが一般的であるが、換気装置本体１は幅が６０ｃｍ、７５ｃｍ、９０ｃｍ、１２０ｃｍと多数用意されている。このなかで、加熱調理機器２に対して６０ｃｍ幅の換気装置を組み合わせて使用する場合には、設置位置は合わせるのは容易である。しかし、図３に示すように９０ｃｍ幅の換気装置本体１と加熱調理機器２を設置する場合に、両者をともに台所の壁に側面を合わせて設置することがある。
【００２３】
すなわち、加熱調理機器２の中心と換気装置本体の中心とを合わせて設置する標準設置位置から左右方向に位置がずれた状態で設置されることとなる。
【００２４】
そのような場合、従来の換気装置においては、温度検知手段９の検知範囲が加熱調理機器２のトッププレート全体をカバーすることができず、調理台の一部が入ってしまうことがある。つまり、温度検知手段９の検知範囲がずれることによって、加熱調理機器２付近に熱い鍋や冷凍した食品などが置かれた場合には加熱調理機器２の状態が同じであっても温度検知手段９はこれらの温度を検知してしまい検知される温度に差が生じ、換気風量を適切に決定することができないことがあった。すなわち、効果的な換気ができない場合があった。
【００２５】
そこで、本実施に形態のように換気装置本体１に加熱調理機器２と換気装置本体１との位置関係を設定する設置位置設定手段１０を設け、加熱調理機器２と温度検知手段９の位置関係のずれに応じて温度検知手段９の方向を変えることにより、温度検知手段９の検知範囲を補正することが有効となる。
【００２６】
このような構成とすることにより、加熱調理機器２と換気装置本体１の位置をずらして設置した場合でも、設置状況に係わらない温度検知ができ、効果的な運転ができる。以下、その詳細な流れについて説明する。
【００２７】
換気装置を設置する施工者は、施工時にあらかじめ定められている標準設置位置からのずれを調べ、設置位置設定手段１０によって設定する。設置位置設定手段１０のうち、垂直位置設定手段１２は換気装置本体１の下方に取り付けられた測距センサであり、換気装置本体１の加熱調理機器２からの高さを自動で測定し設定する。水平位置設定手段１３は、換気装置本体１に取り付けられたスイッチであり、施工者はこのスイッチにより、あらじかじめ定められた標準設置位置からのずれを手動で入力する。図３において、標準設置位置は、破線で示す加熱調理機器２の中心線と一点鎖線で示す換気装置本体１の中心線が一致する位置であり、同図では標準設置位置からのずれは向かって右方向に１５ｃｍであることから、施工者は水平位置設定手段１３によってずれの方向「右」とずれの距離「１５ｃｍ」を設定しておく。制御部１１では、設置位置設定手段１０によって設定された内容をもとに、位置情報算出手段１５によって標準設置位置からのずれを算出し、位置情報算出手段１５によって算出された位置情報に応じて温度検知方向算出手段１６で温度検知手段９の方向をずれと逆方向に変更させる。図３において、垂直位置設定手段１２で設定された高さが８０ｃｍであったとすると、温度検知手段９を傾ける角度θは、ｔａｎθ＝１５／８０で算出される。
【００２８】
ユーザが加熱調理機器２の運転を開始し、換気装置本体１が加熱調理機器２の運転状態を示す信号を受信すると、換気装置本体１は運転を開始する。その際、制御部１１では、温度検知手段９で検知した温度をもとに、温度算出手段１４で加熱調理機器２の表面の温度を算出する。風量算出手段１７では、加熱調理機器２の運転状態を示す信号から運転されている加熱部５の火力と温度算出手段１４で算出した温度をもとに、換気風量を算出し、送風手段３を運転させる。
【００２９】
以上のように、加熱調理機器２と換気装置本体１の位置をずらして設置した場合でも、温度検知手段９の検知範囲を補正することにより効果的な換気ができる。
【００３０】
（実施の形態２）
本発明の実施の形態２について図４を参照しながら説明する。なお、図４において、図２と同様の構成要素については同一の符号を付し、その詳細な説明は省略する。図４に示すように、実施の形態２の換気装置の構成は、実施の形態１の換気装置の構成に対して、制御部１１内に温度算出手段１４で算出する温度を補正する温度補正手段１８と、風量算出手段１７で算出する風量を補正する風量補正手段１９をさらに設けた構成とする。
【００３１】
本実施の形態において、位置情報算出手段１５では、位置情報として前記標準設置位置からのずれに加え、加熱部５と温度検知手段９の距離と、加熱部５と送風手段３の距離を算出する。温度補正手段１８では、加熱調理機器２の運転状態を示す信号をもとに、運転中の加熱部５の位置を判断する。また、位置情報算出手段１５によって算出された加熱部５と温度検知手段９の距離を用いて検知された温度の補正を行う。例えば、加熱部５が複数ある場合、温度検知手段９から遠い位置の加熱部５が運転されているときは、温度検知手段９に近い位置の加熱部５が運転されているときに比べて温度検知手段９で検知される温度は低くなる。そのため、加熱調理機器２から受信した運転状態を示す信号から運転されている加熱部５を特定して、運転されている加熱部５と温度検知手段９の距離に応じて温度算出手段１４で算出する温度に補正を加える。
【００３２】
具体的には、図３の加熱部５ｂの場合、温度検知手段９の中心軸から離れていて加熱調理機器２の左側に位置しているので距離が遠い位置にあり、温度検知手段９が検知する温度は低めに検知される。そこで、距離が遠い場合には温度が高くなるように温度算出手段１４で算出する温度に補正を加える。
【００３３】
また、図３の加熱部５ａの場合、温度検知手段９の中心軸から離れているが、加熱調理機器２の右側に位置しているので距離が近い位置にあり、温度検知手段９が検知する温度は高めに検知される。そこで、距離が近い場合には温度が低くなるように温度算出手段１４で算出する温度に補正を加える。
【００３４】
また、風量補正手段１９では、加熱調理機器２の運転状態を示す信号をもとに、運転中の加熱部５の位置を判断する。また、位置情報算出手段１５によって算出された加熱部５と送風手段３の距離に応じて風量算出手段１７で算出する風量を補正する。
【００３５】
例えば、加熱部５が複数ある場合、送風手段３から遠い位置の加熱部５ｂが運転されているときは、送風手段３に近い位置の加熱部５ａが運転されているときに比べて換気の効率が悪くなる。そのため、運転されている加熱部５と送風手段３の距離が遠い場合には風量が大きくなるように風量算出手段１７で算出する風量に補正を加える。送風手段３をＤＣモータとすると、細かな距離の変化に応じて排気風量を多段階に調節することができる。
【００３６】
このような構成によれば、設置位置のずれによって生じる温度検知手段９の検知誤差と換気効率の低下を補正することができる。
【００３７】
また、使用している加熱部５との距離に応じて温度検知手段９の検知温度に補正を加えることで、使用している加熱部５の温度を正しく検知して換気風量を適切に決定することができる。
【００３８】
さらに、使用している加熱部５との距離に応じて送風手段３の距離に応じて風量算出手段１７で算出する風量を補正することで、使用している加熱部５の位置に対応して送風手段３の風量を補正して、適切な換気風量で換気を行うことができる。
【産業上の利用可能性】
【００３９】
本発明にかかる換気装置は、加熱調理機器との位置関係のずれを考慮し、設置状況に関わらず効果的に換気することを可能とするものであるので、家庭用、業務用を問わず換気装置全般に有用である。
【符号の説明】
【００４０】
１    換気装置本体
２    加熱調理機器
３    送風手段
４    吐出口
５    加熱部
５ａ  加熱部
５ｂ  加熱部
６    送信手段
７    受信手段
８    トッププレート
９    温度検知手段
１０  設置位置設定手段
１１  制御部
１２  垂直位置設定手段
１３  水平位置設定手段
１４  温度算出手段
１５  位置情報算出手段
１６  温度検知方向算出手段
１７  風量算出手段
１８  温度補正手段
１９  風量補正手段
【図１】
2012098004.tif 000003
【図２】
2012098004.tif 000004
【図３】
2012098004.tif 000005
【図４】
2012098004.tif 000006